(57)【特許請求の範囲】
【請求項１】
圧縮機、冷媒−水熱交換器、減圧装置、蒸発器を順次接続して構成され湯水を加熱する冷媒回路及び制御部を有するヒートポンプユニットと、
前記冷媒回路により加熱された湯水を貯湯する温水タンク及び制御部を有するタンクユニットと、
前記冷媒−水熱交換器と前記温水タンクの間に接続された温水循環装置と、
前記タンクユニットに接続され運転操作を行う操作部と
を備えたヒートポンプ給湯装置において、
前記ヒートポンプユニットは、
前記ヒートポンプユニットの単独運転の開始と終了を指示するための使用者からの直接操作を受け付けるスイッチと、
外気温度検出手段とを有し、
前記スイッチがオンされた場合、前記ヒートポンプユニットは、予め設定された制御定数のうち前記外気温度検出手段が検出した外気温度に基づいて決定されたものに基づいて単独運転する
ことを特徴とするヒートポンプ給湯装置。
【請求項２】
前記スイッチをオンしてヒートポンプユニットの単独運転を開始した場合、一定時間経過後に前記スイッチがオフとなる
ことを特徴とする請求項１記載のヒートポンプ給湯装置。
【請求項３】
前記スイッチをオンしてヒートポンプユニットの単独運転を開始した場合、前記タンクユニットからの沸上げ指示により、前記スイッチがオフとなる
ことを特徴とする請求項１又は請求項２記載のヒートポンプ給湯装置。
【請求項４】
前記操作部は、前記スイッチのオンとオフの設定を行うことができる
ことを特徴とする請求項１〜請求項３のいずれかに記載のヒートポンプ給湯装置。
【発明の詳細な説明】
【技術分野】
【０００１】
この発明は、貯湯式のヒートポンプ給湯装置に関するものである。
【背景技術】
【０００２】
従来のヒートポンプ給湯装置においては、「湯を貯める貯湯手段と、貯湯手段から供給される湯を水と混合して得た混合湯水を供給する湯水混合手段と、混合湯水を使用者に供給する出湯手段と、混合湯水の出湯の有無を検出する出湯検出手段と、混合湯水の温度を検出する温度検出手段と、混合湯水の温度を所望の温度に設定するための温度設定手段と、湯水混合手段による湯と水の混合比率を制御する制御手段と、操作に応じてリセット信号を発生するリセット手段とを備え、制御手段は、リセット信号が入力されていない通常時には、出湯検出手段が出湯有りと検出すると、温度検出手段の検出温度が温度設定手段の設定温度と一致するように混合比率を制御するとともに、出湯無しと検出すると、湯の混合比率を略ゼロに制御する通常モードで制御を行い、リセット信号が一旦入力されると、出湯検出手段の検出結果に関係無く検出温度が設定温度と一致するように混合比率を制御する応急運転モードに制御モードを切り替える」ことにより、故障時にも混合湯水を供給できるようにしている（例えば、特許文献１参照）。
【０００３】
【特許文献１】特開２００５−３３７５８２号公報（第３−４頁）
【発明の開示】
【発明が解決しようとする課題】
【０００４】
従来のヒートポンプ給湯装置においては、故障時に混合湯水を供給することはできるが、発生した故障の原因がヒートポンプユニットにあるのかタンクユニットにあるのか、あるいは通信系統にあるのかを明確に区別することはできなかった。
【０００５】
この発明は、上記のような課題を解決するためになされたもので、異常発生時にヒートポンプユニットに設けたスイッチを切り換えることでヒートポンプユニットの単独運転を行い、異常の原因がヒートポンプユニット、タンクユニット、あるいは通信系統のいずれにあるのかを明確にすることのできるヒートポンプ給湯装置を提供するものである。
【課題を解決するための手段】
【０００６】
この発明に係るヒートポンプ給湯装置は、圧縮機、冷媒−水熱交換器、減圧装置、蒸発器を順次接続して構成され湯水を加熱する冷媒回路及び制御部を有するヒートポンプユニットと、前記冷媒回路により加熱された湯水を貯湯する温水タンク、制御部、及び前記冷媒−水熱交換器と前記温水タンクの間に接続された温水循環装置とを有するタンクユニットと、前記タンクユニットに接続され運転操作を行う操作部とを備えたヒートポンプ給湯装置において、前記ヒートポンプユニットは、前記ヒートポンプユニットの単独運転の開始と終了を指示するための使用者からの直接操作を受け付けるスイッチと、外気温度検出手段とを有し、前記スイッチがオンされた場合、前記ヒートポンプユニットは、予め設定された制御定数のうち前記外気温度検出手段が検出した外気温度に基づいて決定されたものに基づいて単独運転するものである。
【発明の効果】
【０００７】
この発明に係るヒートポンプ給湯装置は、ヒートポンプユニットに設けたスイッチを切り換えることにより、ヒートポンプユニットの単独運転を行うことができる。このため、異常が発生した場合には、ヒートポンプユニットを単独運転することで異常発生箇所を明確にすることができる。
【発明を実施するための最良の形態】
【０００８】
実施の形態１．
図１は本発明の実施の形態１におけるヒートポンプ給湯装置のシステム構成図である。
図１において、ヒートポンプ給湯装置は、ヒートポンプユニット１００、タンクユニット２００、及び操作部１１とから構成される。
【０００９】
ヒートポンプユニット１００は、圧縮機１、冷媒−水熱交換器２、減圧装置３、蒸発器４が冷媒配管１５によって環状に接続された冷媒回路と、前記圧縮機１の吐出圧力を検出する圧力検出装置５と、ファンモータ６と、ファン７と、前記冷媒−水熱交換器２の沸上げ温度検出手段８と、前記冷媒−水熱交換器２の給水温度検出手段９と、外気温度検出手段１７と、ヒートポンプユニット制御部１３とを備えている。
給水温度検出手段９は冷媒−水熱交換器２への水入口側に、沸上げ温度検出手段８は冷媒−水熱交換器２の水出口側に設けられており、それぞれ設置場所を通過する湯水の温度を計測する。外気温度検出手段１７は、ヒートポンプユニット１００の外郭またはその近傍に設けられており、ヒートポンプユニット１００の周囲の外気温度を計測する。
ヒートポンプユニット制御部１３は、後述のタンクユニット２００のタンクユニット制御部１２と制御信号のやりとりを行い、タンクユニット制御部１２を介して操作部１１からの指示を受ける。また、ヒートポンプユニット制御部１３は、圧力検出装置５、給水温度検出手段９、沸上げ温度検出手段８、外気温度検出手段１７からの信号を受信し、これらの信号や操作部１１からの指示に基づいて圧縮機１の回転制御、減圧装置３の開度制御、ファンモータ６の回転数制御を行う。また、ヒートポンプユニット制御部１３は、ヒートポンプユニット１００の単独運転を行うためのスイッチ１０１を備えている。スイッチ１０１をオンすると、ヒートポンプユニット１００の単独運転を行い、スイッチ１０１をオフすると、通常の運転を行う。
【００１０】
タンクユニット２００は、前記冷媒回路により加熱された温水を貯湯する温水タンク１４と、前記冷媒−水熱交換器２と前記温水タンク１４の間に配置された温水循環装置１０と、冷媒−水熱交換器２と温水タンク１４とを接続する温水循環配管１６と、タンクユニット制御部１２とを備えている。タンクユニット制御部１２は、操作部１１との間で操作信号の送受信を行い、これに基づいて前述のヒートポンプユニット制御部１３と制御信号の送受信を行うとともに、温水循環装置１０の回転数を制御する。
【００１１】
操作部１１は、ユーザが湯水の温度設定や出湯指示などを行うためのスイッチなどを備えたリモコンや操作パネルなどである。
【００１２】
なお、図１においては、温水タンク１４から風呂などに湯水を供給するための給湯装置や、温水タンク１４へ水を供給するための回路などは図示を省略している。
また、圧縮機１の駆動装置としては、吐出する冷媒の圧力や温度を可変とするため、インバータ制御のＤＣブラシレスモータを使用したものを用いた例について説明するが、複数台の圧縮機を組み合わせてこの組み合わせを切り換えることで全体の能力を可変にするような構成としてもよい。
また、圧縮機の吸入側に冷媒音を低減させるようなサクションマフラーのような容器を設けたり、圧縮機の吐出側に流出した潤滑油を回収する装置を設けたりするなど、他の目的の構造を付加してもかまわない。すなわち、図１には、温水給湯のために必要な基本的な回路のみを示している。
また、ヒートポンプ給湯装置の冷媒としては、高温出湯ができる冷媒、例えば、二酸化炭素、Ｒ４１０Ａ、プロパン、プロピレンなどが適しているが、特にこれらに限定されるものではない。
【００１３】
上記のように構成したヒートポンプ給湯装置における運転動作について説明する。
ヒートポンプユニット１００の冷凍サイクルにおいて、圧縮機１から吐出された高温高圧のガス冷媒は冷媒−水熱交換器２で給湯水回路側へ放熱しながら温度低下する。このとき高圧側冷媒圧力が臨界圧以上であれば、冷媒は超臨界状態のまま気液相転移しないで温度低下して放熱する。また、高圧側冷媒圧力が臨界圧以下であれば、冷媒は液化しながら放熱する。放熱して冷媒−水熱交換器２から流出した高圧低温の冷媒は、減圧装置３で低圧気液二相の状態に減圧される。減圧装置３を通過した冷媒は蒸発器４に流入し、そこで外気空気から吸熱し、蒸発ガス化される。蒸発器４を出た低圧冷媒は圧縮機１に吸入されて循環し冷凍サイクルを形成する。
【００１４】
一方、温水タンク１４の下部の水は、温水循環装置１０の運転により導かれて、冷媒−水熱交換器２の給湯水回路側へ流入する。ここで、冷媒から放熱された熱によって水が加熱され、加熱された湯水は温水循環配管１６を通って温水タンク１４の上部に戻される。すなわち、温水タンク１４においては、上部がお湯で下部が水という状態になる。温水タンク１４に貯められた湯水は、図示しない給湯装置により、例えば風呂などに供給される。
【００１５】
ここで、ヒートポンプ給湯装置は、目標出湯温度と、ヒートポンプ給湯装置の加熱能力に基づいて動作する。目標出湯温度は、使用者が操作部１１で指示した情報により定められるか、又は操作部１１やヒートポンプユニット制御部１３内のマイコンにて過去の給湯使用量から算出される蓄熱エネルギーを確保できるように設定される。なお、目標出湯温度は、予め範囲が決められており、例えば６５℃から９０℃の範囲に設定されている。
ヒートポンプ給湯装置の各構成要素の能力は、使用者が操作部１１により指示する運転指令が達成できるよう、主に圧縮機１の回転数、減圧装置３の開度、温水循環装置１０の回転数により定まる。
【００１６】
圧縮機１の回転数は、目標出湯温度が得られるように制御される。タンク下部から流入する給水温度は沸上げ終了までほぼ一定温度で供給されるため、目標出湯温度が決まれば、負荷はほぼ一定で運転される。目標出湯温度範囲の最大値で所定の能力を確保できれば、目標出湯温度の範囲内で所定の能力を確保できる。したがって、冷媒−水熱交換器２の加熱能力である圧縮機１の回転数は、例えば外気温度と給水温度の関数とすることで、どのような目標出湯温度においても所定能力を確保することができる。なお、圧縮機１の回転数は、圧縮機耐久性の観点から上限回転数および下限回転数が設けられている。
【００１７】
減圧装置３の開度は、圧縮機１の吐出温度を所定値（目標吐出温度）になるように制御される。目標吐出温度は、目標出湯温度を確保できる温度とするため、目標出湯温度より高い温度、すなわち目標出湯温度＋α［ｄｅｇ］に設定されている。値αは、例えば外気温度や目標出湯温度の関数とする。このように目標出湯温度に応じた目標吐出温度とすることで、要求された出湯温度を確保することができる。なお、圧縮機耐久性や冷凍機油劣化などの観点から、通常、吐出温度には上限温度が設けられている。
【００１８】
温水循環装置１０の回転数は、出湯温度が目標出湯温度となるように、タンクユニット制御部１２により制御される。減圧装置３で吐出温度が目標出湯温度＋α［ｄｅｇ］に制御されるため、即ち冷凍サイクル側の加熱能力が一定に維持されているため、確実に出湯温度を確保することができる。
【００１９】
次に、ヒートポンプユニット１００に備えられたスイッチ１０１をオンした場合の動作について説明する。
異常点検を行いたい場合、ヒートポンプユニット制御部１３のスイッチ１０１をオン状態に設定する。スイッチ１０１をオンした場合は、ヒートポンプユニット１００は、予め設定された制御定数に基づいて動作を行う。すなわち、操作部１１またはタンクユニット制御部１２からの沸上げ運転指示ではなく、予め設定された制御定数で、圧縮機１、減圧装置３、ファンモータ６を動作させる。この制御定数は、スイッチ１０１をオンした場合の運転のため、予めヒートポンプユニット制御部１３のメモリなどに保存しておく。また、ヒートポンプユニット制御部１３はタンクユニット制御部１２に対して運転指示を行わないようにし、タンクユニット制御部１２により回転数を制御されている温水循環装置１０の運転も行わない。
【００２０】
このように、ヒートポンプユニット１００のみを動作させることで、簡易的にヒートポンプユニット１００の動作チェックをすることができる。動作チェックにおいては、圧縮機１については運転による振動の有無や温度上昇をチェックする。減圧装置３については、減圧装置３の上流、下流の冷媒配管１５の温度をチェックする。また、ファンモータ６については、回転しているか否か外観をチェックする。
例えば、冷媒漏れという異常が発生している場合は、圧縮機１はモータの発熱によって温度が上昇するが、冷媒が漏れているので冷媒配管１５の温度上昇はない。このように、各構成要素の状態をチェックし、考えられる異常を検出する。
このようなチェックの結果、ヒートポンプユニット１００のいずれの構成要素にも異常が認められなければ、タンクユニット２００側の構成要素の異常か、あるいは通信基板、通信配線に異常があるものと考えられる。
【００２１】
以上のように、ヒートポンプユニット１００のみを動作させることで、異常発生箇所の切り分けを容易に行うことができる。また、ヒートポンプユニット１００の単独運転は、スイッチ１０１をオンするだけで行えるため、装置構成の改造などをする必要もなく、通常運転時の装置構成のままで単独運転を行うことができる。
また、予め設定された制御定数で圧縮機１、減圧装置３、ファンモータ６を動作させるので、異常の有無の判断を画一化でき、簡易的な異常点検を容易に行うことができる。
【００２２】
ここで、ヒートポンプユニット１００を単独運転する際の圧縮機１の回転数、減圧装置３の開度、ファンモータ６の回転数は、外気温度検出手段１７で検出した外気温度により決定してもよい。ヒートポンプユニット制御部１３は、予め外気温度に対応した圧縮機１、減圧装置３、ファンモータ６の各運転制御定数をメモリなどに保存しておき、スイッチ１０１がオンされた場合には、この運転制御定数を用いて運転動作を行う。なお、外気温度ごとの運転制御定数は、通常運転時と同じ値を用いてもよいし、スイッチ１０１オン時の運転のために別に設けておいてこれを用いてもよい。
【００２３】
また、ヒートポンプユニット１００を単独運転する際の圧縮機１の回転数、減圧装置３の開度、ファンモータ６の回転数は、給水温度検出手段９で検出した給水温度により決定してもよい。その際においても、給水温度ごとの運転制御定数は、通常運転時と同じ値を用いてもよいし、スイッチ１０１オン時の運転のために別に設けておいてこれを用いてもよい。
【００２４】
また、ヒートポンプユニット１００を単独運転する際の圧縮機１の回転数、減圧装置３の開度、ファンモータ６の回転数は、外気温度検出手段１７で検出した外気温度と、給水温度検出手段９で検出した給水温度とを組み合わせて決定してもよい。その際においても、各運転制御定数は、通常運転時と同じ値を用いてもよいし、スイッチ１０１オン時の運転のために別に設けておいてこれを用いてもよい。
【００２５】
以上のように、外気温度検出手段１７と給水温度検出手段９のいずれか又は両方の検出温度により制御定数を決定することで、そのときの外気温度や給水温度に応じたヒートポンプユニット１００とタンクユニット２００の動作を確認でき、異常判定をより正確に実施することが可能となる。
【００２６】
なお、ヒートポンプユニット１００を単独運転する際の圧縮機１の回転数、減圧装置３の開度、ファンモータ６の回転数は、上記以外の要素に基づいて決定してもよく、また、外気温度や給水温度と組み合わせて決定してもよい。
【００２７】
動作チェックを終了した後は、スイッチ１０１をオフに設定することで、通常の運転動作に戻る。スイッチ１０１をオフにするには、スイッチ１０１を直接操作する。
【００２８】
また、所定時間が経過するとヒートポンプユニット制御部１３の指示によりスイッチ１０１をオフにしても良い。このようにすることで、スイッチ１０１をオフにするのを忘れたとしても所定時間経過後には通常の沸上げ運転を行うことができる。
【００２９】
また、タンクユニット２００から沸上げ指示があった場合に、ヒートポンプユニット制御部１３の指示によりスイッチ１０１をオフにしてもよい。このようにすることで、スイッチ１０１の設定に関わらず、タンクユニット２００からの指示により通常の沸上げ運転を実施することが可能となる。
【００３０】
さらには、スイッチ１０１をオフに設定する方法は、上記の方法を複数組み合わせて用いてもよい。このようにすることで、スイッチ１０１をオフにし忘れたとしても、より確実に通常の沸上げ運転に復帰することができ、利便性が向上する。
【００３１】
なお、本実施の形態１では、スイッチ１０１のオン／オフの切り換えを、スイッチ１０１の直接操作により行う方法と、ヒートポンプユニット制御部１３によって切り換える方法について説明したが、この切り換えは操作部１１により行ってもよい。例えば、操作部１１にスイッチ１０１のオンとオフを切り換えるための複数ボタン押しなどの設定を設けておき、操作部１１からタンクユニット制御部１２を介してヒートポンプユニット制御部１３上のスイッチ１０１の切り換えを行っても良い。このようにすることで、異常点検の開始と終了の切り換えを容易に行うことができる。
【００３２】
また、本実施の形態１では、スイッチ１０１をオンした場合には、ヒートポンプユニット制御部１３はタンクユニット制御部１２に対して運転指示を行わないこととしたが、温水循環装置１０の運転指示を行うこととしてもよい。すなわち、ヒートポンプユニット１００を単独運転する際に、タンクユニット制御部１２に対して温水循環装置１０を予め設定された制御定数で運転するように指示を行う。このようにすることで、温水循環装置１０を運転しながらヒートポンプユニット１００を運転することが可能となり、異常原因の切り分けをより正確に実施することができる。
【００３３】
実施の形態２．
図２は本発明の実施の形態２におけるヒートポンプ給湯装置のシステム構成図である。
図２において、ヒートポンプ給湯装置は、ヒートポンプユニット１００、タンクユニット２００、操作部１１から構成される。本実施の形態２に係るヒートポンプ給湯装置は、ヒートポンプユニット制御部１３ａ、タンクユニット制御部１２ａ、温水循環装置１０のみ実施の形態１と異なる。その他の構成については実施の形態１と同じであるので、同じ符号を付して説明を省略する。
【００３４】
本実施の形態２では、温水循環装置１０は、ヒートポンプユニット制御部１３ａに接続されて回転制御が行われる。したがって、タンクユニット制御部１２ａは、温水循環装置１０と接続されていない構成となっている。
【００３５】
上記のように構成したヒートポンプ給湯装置において、スイッチ１０１がオフの状態、すなわち通常状態での運転動作について説明する。なお、前述の実施の形態１で説明した動作と異なる部分を中心に説明する。
操作部１１又はタンクユニット２００からの沸上げ運転指示があると、ヒートポンプユニット１００は沸上げ運転を行う。ヒートポンプユニット１００に備えられたヒートポンプユニット制御部１３は、圧縮機１の回転数、減圧装置３の開度、ファンモータ６の回転数の制御を行うとともに、沸上げ温度検出手段８で検出した温度が目標沸上げ温度になるよう、温水循環装置１０の回転数を制御する。温水タンク１４の水は、温水循環装置１０の運転により導かれて、冷媒−水熱交換器２へ流入して加熱され、再び温水タンク１４へ戻される。
【００３６】
次に、ヒートポンプユニット１００に備えられたスイッチ１０１をオンした場合の動作について説明する。
異常点検を行いたい場合、ヒートポンプユニット制御部１３のスイッチ１０１をオン状態に設定する。スイッチ１０１をオンした場合は、ヒートポンプユニット１００は、予め設定された制御定数に基づいて動作を行う。すなわち、操作部１１またはタンクユニット制御部１２からの沸上げ運転指示ではなく、予め設定された制御定数で、圧縮機１、減圧装置３、ファンモータ６、温水循環装置１０を動作させる。この制御定数は、スイッチ１０１オン時の運転のため、予めヒートポンプユニット制御部１３のメモリなどに保存しておく。また、ヒートポンプユニット制御部１３からタンクユニット制御部１２に対しての運転指示は行わない。
【００３７】
以上のように、ヒートポンプユニット１００のみを動作させることで、簡易的にヒートポンプユニット１００の動作チェックをすることができる。動作チェックの内容は、前述の実施の形態１の通りである。
【００３８】
ここで、ヒートポンプユニット１００を単独運転する際の圧縮機１の回転数、減圧装置３の開度、ファンモータ６の回転数、温水循環装置１０の回転数は、外気温度検出手段１７で検出した外気温度により決定してもよい。ヒートポンプユニット制御部１３ａは、予め外気温度に対応した圧縮機１、減圧装置３、ファンモータ６、温水循環装置１０の各運転制御定数をメモリなどに保存しておき、スイッチ１０１がオンされた場合には、この運転制御定数を用いて運転動作を行う。なお、外気温度ごとの運転制御定数は、通常運転時と同じ値を用いてもよいし、スイッチ１０１オン時の運転のために別に設けておいてこれを用いてもよい。
【００３９】
また、圧縮機１の回転数、減圧装置３の開度、ファンモータ６の回転数、温水循環装置１０の回転数は、給水温度検出手段９で検出した給水温度により決定してもよい。その際においても、給水温度ごとの運転制御定数は、通常運転時と同じ値を用いてもよいし、スイッチ１０１オン時の運転のために別に設けておいてこれを用いてもよい。
【００４０】
また、圧縮機１の回転数、減圧装置３の開度、ファンモータ６の回転数、温水循環装置１０の回転数は、外気温度検出手段１７で検出した外気温度と、給水温度検出手段９で検出した給水温度とを組み合わせて決定してもよい。その際においても、各運転制御定数は、通常運転時と同じ値を用いてもよいし、スイッチ１０１オン時の運転のために別に設けておいてこれを用いてもよい。
【００４１】
以上のように、外気温度検出手段１７と給水温度検出手段９のいずれか又は両方の検出温度により制御定数を決定することで、そのときの外気温度や給水温度に応じたヒートポンプユニット１００とタンクユニット２００の動作を確認でき、異常判定をより正確に実施することが可能となる。
【００４２】
なお、ヒートポンプユニット１００を単独運転する際の圧縮機１の回転数、減圧装置３の開度、ファンモータ６の回転数、温水循環装置１０の回転数は、上記以外の要素に基づいて決定してもよく、また、外気温度や給水温度と組み合わせて決定してもよい。
【００４３】
動作チェックを終了した後は、スイッチ１０１をオフに設定することで、通常の運転動作に戻る。スイッチ１０１をオフにするには、スイッチ１０１を直接操作する。
【００４４】
また、所定時間が経過するとヒートポンプユニット制御部１３ａからの指示によりスイッチ１０１をオフにしても良い。このようにすることで、スイッチ１０１をオフにするのを忘れたとしても所定時間経過後には通常の沸上げ運転を行うことができる。
【００４５】
また、タンクユニット２００ａから沸上げ指示があった場合に、ヒートポンプユニット制御部１３ａからの指示によりスイッチ１０１をオフにしてもよい。このようにすることで、スイッチ１０１の設定に関わらず、タンクユニット２００ａからの指示により通常の沸上げ運転を実施することが可能となる。
【００４６】
さらには、スイッチ１０１をオフに設定する方法は、上記の方法を複数組み合わせて用いてもよい。このようにすることで、スイッチ１０１をオフにし忘れたとしても、より確実に通常の沸上げ運転に復帰することができ、利便性が向上する。
【００４７】
なお、本実施の形態２では、スイッチ１０１のオン／オフの切り換えを、スイッチ１０１の直接操作により行う方法と、ヒートポンプユニット制御部１３ａによって切り換える方法について説明したが、この切り換えは操作部１１により行ってもよい。例えば、操作部１１にスイッチ１０１のオンとオフを切り換えるための複数ボタン押しなどの設定を設けておき、操作部１１からタンクユニット制御部１２を介してヒートポンプユニット制御部１３ａ上のスイッチ１０１の切り換えを行っても良い。このようにすることで、異常点検の開始と終了の切り換えを容易に行うことができる。
【００４８】
ところで、上記説明では、スイッチ１０１をヒートポンプユニット制御部１３上に設ける場合の例について述べたが、スイッチ１０１の設置場所はこれに限らない。ヒートポンプユニット制御部１３及びタンクユニット制御部１２のいずれか又は両方と制御信号を送受信できるように設ければよい。
【図面の簡単な説明】
【００４９】
【図１】この発明の実施の形態１におけるヒートポンプ給湯装置の構成図である。
【図２】この発明の実施の形態２におけるヒートポンプ給湯装置の構成図である。
【符号の説明】
【００５０】
１  圧縮機、２  冷媒−水熱交換器、３  減圧装置、４  蒸発器、５  圧力検出装置、６  ファンモータ、７  ファン、８  沸上げ温度検出手段、９  給水温度検出手段、１０  温水循環装置、１１  操作部、１２，１２ａ  タンクユニット制御部、１３，１３ａ  ヒートポンプユニット制御部、１４  温水タンク、１５  冷媒配管、１６  温水循環配管、１７  外気温度検出手段、１００，１００ａ  ヒートポンプユニット、１０１  スイッチ、２００，２００ａ  タンクユニット。
【図１】
0005173469.tif 000002
【図２】
0005173469.tif 000003